(57)【要約】      （修正有）【課題】エスカレータ利用客に対する行先案内表示を的確に提供し得るエスカレータ情報提供装置の提供。【解決手段】情報カード４をエスカレータの利用客が所持し、この情報カード４を装置内行先案内登録器１３にセットして、行先を登録する。  制御部（制御手段）１２は、予め案内情報記憶器１２３に記憶された行先案内情報の中から、情報カード４をセットして登録した行先に対応する行先案内情報を選択して、利用客が接近させた情報カード４を接近させた検出器１４ｉ近傍の表示器１５１ｉに読み出し表示させる。  従って、検出器１４ｉ及び表示器１５１ｉは、エスカレータ６の長手方向に配列されて設置されているので、エスカレータ６に乗った利用客は、移動しつつ適切に自己の指定する行先に対応する行先案内情報を目で確認することができるので、安心してエスカレータを利用することができる。【選択図】図１
2006160382.tif 000002
【特許請求の範囲】
【請求項１】
エスカレータの利用客が所持し、その利用客固有の識別コードを記録した情報カードと、
この情報カードに記録された前記識別コードを読み出しメモリに記憶させるとともに、前記利用客が指定する行先を前記メモリまたは前記情報カードに登録する登録手段と、
前記利用客が指定する行先に対応した行先案内情報を予め記憶した記憶手段と、
前記利用客が所持する情報カードを個別に検出する検出器を複数個、前記エスカレータの長手方向に沿った欄干に設置した検出手段と、
この検出手段の検出器に対応するように、表示器を複数個、前記エスカレータの長手方向に沿った欄干に設置した表示手段と、
この表示手段における複数個の表示器のうち、前記情報カードを検出した検出器位置に対応した位置の表示器に、前記登録手段によって登録された前記行先に対応する行先案内情報を前記記憶手段から読み出し表示する制御手段と
を具備することを特徴とするエスカレータ用情報提供装置。
【請求項２】
エスカレータの修理作業マニュアル情報、エスカレータの保守点検作業マニュアル情報、またはエスカレータの故障情報のうちの少なくともいずれか１の情報を予め記憶した記憶手段と、
この記憶手段に記憶された前記情報を表示する表示手段と
を具備することを特徴とするエスカレータ用情報提供装置。
【請求項３】
前記表示手段は、前記いずれか１の情報を個別に表示可能な表示器を複数個、前記エスカレータの長手方向に沿った欄干に設置して構成されたことを特徴とする請求項２に記載のエスカレータ用情報提供装置。
【請求項４】
固有の識別コードを記録した情報カードと、
この情報カードを個別に検出する検出器を複数個、前記エスカレータの長手方向に沿った欄干に設置した検出手段と、
この検出手段により検出された前記情報カードの前記識別コードに対応して、前記エスカレータの修理作業マニュアル情報、エスカレータの保守点検作業マニュアル情報、またはエスカレータの故障情報のうちの少なくともいずれか１の情報を、前記記憶手段から読み出し、前記情報カードを検出した検出器の位置に対応する位置の前記表示器に表示する制御手段と
を具備することを特徴とする請求項３に記載のエスカレータ用情報提供装置。
【請求項５】
エスカレータの利用客に対する迂回経路案内情報を予め記憶した記憶手段と、
この記憶手段に記憶された前記迂回経路案内情報を読み出し表示する表示手段と
を具備することを特徴とするエスカレータ用情報提供装置。
【請求項６】
前記表示手段は、エスカレータの乗降口に設置された安全柵に係止するように構成されたことを特徴とする請求項２または５に記載のエスカレータ用情報提供装置。
【発明の詳細な説明】
【技術分野】
【０００１】
本発明は、エスカレータの利用者に対して目的地までの行先案内情報を提供するエスカレータ用情報提供装置、作業員に対してエスカレータの保守点検や故障修理の際の作業マニュアル情報を提供するエスカレータ用情報提供装置、及びエスカレータの運行停止時にエスカレータ利用者に対し、迂回経路案内情報を提供するエスカレータ用情報提供装置に関する。
【背景技術】
【０００２】
ホテル等の建物内で、来訪者等がエレベータ等を利用して目的とする階床や部屋まで行くのに不案内であることが多く、来訪者等を目的地まで誘導する行先案内装置が提案されている。
【０００３】
従来の行先案内装置は、それを利用しようとする来訪者等（以下利用者と称するものとする）が、予め自己の目的地である行先情報を記憶させた送信装置を携帯し、その送信装置から発信される利用者の行先情報を、建物内の通路やエレベータホールあるいはエレベータの乗りかご内に設置した受信装置で受信し、その受信装置の表示部に、その利用者の行先情報に対応した行先案内を表示させるものである（たとえば、特許文献１参照）。
【０００４】
また、建物内の上下階方向への人の運搬等に供されるエレベータは、故障時には運転を停止して故障修理を実施することは勿論であるが、利用客の安全を確保するため、定期的に保守点検が行われる。エレベータの保守点検や故障修理作業を行うときに、作業員は、各階床の乗場出入口に「修理点検中」の看板を掲げて、保守点検作業あるいは故障修理作業を行う。
【０００５】
建物内の交通手段としては、エレベータのほかにエスカレータも多く設置されて利用されていることは言うまでもない。
【０００６】
作業員がエスカレータの保守点検や故障修理を行う際にも、一般客がエスカレータの乗降口に入りこむことがないように、「修理点検中」と表示した安全柵を設置して作業が行われる。
【０００７】
また、安全柵が設置された場所の近傍に、迂回経路を案内表示した看板あるいは掲示板を設置して、エスカレータを利用しようとした通行人に対する誘導案内が行われる。
【０００８】
作業員がエスカレータの保守点検や故障修理を行うときには、その保守点検や故障修理のための作業マニュアル（手引き書）を作業員が現場まで携行し、記載された手順に沿った保守点検作業、あるいは故障原因別に記載された手順に沿った修理作業が行われる。
【特許文献１】特開平６−１４４７３２号公報
【発明の開示】
【発明が解決しようとする課題】
【０００９】
従来の行先案内装置は、建物内の通路やエレベータホールあるいはエレベータの乗りかご内に、表示部を有する受信装置を設け、利用客が所持する発振装置からの行先信号を受信装置が受信して、その利用客の行先信号に即した目的地までの案内情報を表示部に表示するものであった。
【００１０】
しかしながら、表示部を有する受信装置が、建物内の通路やエレベータの乗りかご内に固定設置されても、これを利用する利用客との相対位置関係はそれほどかけ離れることはないが、利用客がエスカレータを利用して上下階間を移動する場合は、固定された受信装置との間の相対位置は大きく変化するから、その間、通信は途絶え、自分の行先案内情報を入手することができなかった。
【００１１】
とりわけ、交通機関の駅舎等に設置されるエスカレータのように、高低差が大で、長距離搬送型のエスカレータにあっては、長時間に亘り、自分の行先案内情報が得られない状態が続くので対応が要望されていた。
【００１２】
また従来、作業員がエスカレータの保守点検や故障修理を行うときには、所定の作業手順に従った保守点検や修理作業を効率的に行うべく、保守点検や故障修理のための作業マニュアルを作業員が携行することが必要とされた。
【００１３】
しかしながら、うっかりすると作業マニュアルの携行を作業員が忘れてしまい、現場において適切かつ迅速にエスカレータの保守点検や修理作業ができなくなることがあった。
【００１４】
また、エスカレータの定期点検や故障修理の際、エスカレータの上下の乗降口に安全柵を設け、作業員は、その安全柵に「修理点検中」の看板が掲げるとともに、エスカレータを利用しようとしていた通行人に対しては、迂回経路を表示した看板や掲示板を、安全柵等に取り付け設置して利用客の誘導案内を行っていた。
【００１５】
しかしながら、エスカレータの修理点検や故障修理の都度、作業員が迂回経路を書き込み、掲示するのは煩雑であり、保守点検作業等の作業効率が低下する要因の１つでもあったので改善が要望されていた。
【００１６】
そこで、本発明は上記実情に鑑みてなされたもので、エスカレータに乗って昇降移動する利用客に対する行先案内を的確に提供し得るエスカレータ情報提供装置、また作業員に必要な故障修理作業マニュアルあるいは保守点検作業マニュアル等を作業員が逐一現場まで携行しないで済むエスカレータ用情報提供装置、及びエスカレータの保守点検あるいは故障時においてエスカレータを利用しようとした客に、的確かつ容易に迂回経路を案内提示可能なエスカレータ用情報提供装置を提供することを目的とする。
【課題を解決するための手段】
【００１７】
請求項１に係る発明のエスカレータ用情報提供装置は、エスカレータの利用客が所持し、その利用客固有の識別コードを記録した情報カードと、この情報カードに記録された前記識別コードを読み出しメモリに記憶させるとともに、前記利用客が指定する行先を前記メモリまたは前記情報カードに登録する登録手段と、前記利用客が指定する行先に対応した行先案内情報を予め記憶した記憶手段と、前記利用客が所持する情報カードを個別に検出する検出器を複数個、前記エスカレータの長手方向に沿った欄干に設置した検出手段と、この検出手段の検出器に対応するように、表示器を複数個、前記エスカレータの長手方向に沿った欄干に設置した表示手段と、この表示手段における複数個の表示器のうち、前記情報カードを検出した検出器位置に対応した位置の表示器に、前記登録手段によって登録された前記行先に対応する行先案内情報を前記記憶手段から読み出し表示する制御手段とを具備することを特徴とする。
【００１８】
請求項２に係る発明のエスカレータ用情報提供装置は、エスカレータの修理作業マニュアル情報、エスカレータの保守点検作業マニュアル情報、またはエスカレータの故障情報のうちの少なくともいずれか１の情報を予め記憶した記憶手段と、この記憶手段に記憶された前記情報を表示する表示手段とを具備することを特徴とする。
【００１９】
請求項５に係る発明のエスカレータ用情報提供装置は、エスカレータの利用客に対する迂回経路案内情報を予め記憶した記憶手段と、この記憶手段に記憶された前記迂回経路案内情報を読み出し表示する表示手段とを具備することを特徴とする。
【発明の効果】
【００２０】
請求項１に記載の発明に係るエスカレータ用情報提供装置によれば、記憶手段がエスカレータの利用者に対する行先案内情報を記憶し、検出手段が検出した利用客の現在位置近傍に前記記憶手段に記憶された行先案内情報から利用客が指定した行先に対応する行先案内情報を読み出し表示するので、利用客はその案内表示により安心してエスカレータを利用することができる。
【００２１】
請求項２に記載の発明に係るエスカレータ用情報提供装置によれば、記憶手段が、エスカレータの修理作業マニュアル情報、エスカレータの保守点検作業マニュアル情報、またはエスカレータの故障情報のうちの少なくともいずれか１の情報を記憶し、表示手段がその記憶された情報を読み出し表示するので、作業員は作業マニュアルを逐一携行する必要がない。従って作業員は、エスカレータの故障修理作業あるいは点検作業を適切かつ効率的に行うことができる。
【００２２】
請求項５に記載の発明に係るエスカレータ用情報提供装置は、記憶手段に記憶された迂回経路案内情報を表示手段が読み出し表示するので、作業員がエスカレータ運行停止時における迂回経路を逐一掲示板等に手書きする手間を省くことができる。
【発明を実施するための最良の形態】
【００２３】
以下、本発明によるエスカレータ用情報提供装置の一実施例を図１ないし図５を参照して詳細に説明する。
【００２４】
図１は、本発明に係るエスカレータ用情報提供装置の一実施例を示す構成図で、この実施例に係るエスカレータ用情報提供装置は３つの機能を有する。第１は、記憶手段に記憶された行先案内情報を読み出しエスカレータの利用者に提供する機能であり、第２は、記憶手段に記憶されたエスカレータの修理作業マニュアル情報、エスカレータの保守点検作業マニュアル情報、またはエスカレータの故障情報のうちの少なくともいずれか１の情報を読み出して作業員に提供表示する機能であり、第３は、記憶手段に記憶された迂回経路案内情報を読み出しエスカレータ利用者に表示提供する機能である。
【００２５】
図１に示したエスカレータ用情報提供装置は、インターネットに接続された構成を示し、エスカレータの利用客がそのインターネットを介してエスカレータ用情報提供装置を利用するときは、上記３つの機能のうちの第１の機能である行先案内情報の提供受けることができる。
【００２６】
図１において、エスカレータ用情報提供装置１は、エスカレータが設置された建物内に配置され、公衆電話回線２ａを介してインターネット２に接続されている。
【００２７】
また、インターネット２には、エスカレータを利用しようとする人は誰でも自分の行先を登録操作できる行先案内登録器３が複数台接続されている。
【００２８】
すなわち、メモリを内蔵した行先案内登録器３は、エスカレータの利用客が所持する情報カード４の識別コードを読み取りメモリに記憶して登録するとともに、利用客が入力操作で指定した行先を識別コードに合わせて登録する。行先案内登録器３に登録された識別コード及び対応した行先は、インターネット２を介してエスカレータ用情報提供装置１に送信される。
【００２９】
なお、インターネット２には、誰でも登録操作できる行先案内登録器３のほかに、エスカレータを利用する個人が所有する固有の端末機５も接続され、その端末機５も、行先案内登録器３と同様に、情報カード４の識別コード及び利用客が指定する行先をメモリに登録し、インターネット２を介して、その記憶し登録された識別コード及び行先データをエスカレータ用情報提供装置１に送信することができる。
【００３０】
なお、この実施例では、行先案内登録器３及び端末機５は、いずれも、識別カードとともに利用客の行先を登録してエスカレータ用情報提供装置１に送信するように説明することになるが、利用客が所持する情報カード４をＩＣカードで構成された場合には、行先案内登録器３及び端末機５への登録は識別コードのみとし、行先は利用客が所持する情報カード４側に登録し記憶させるようにすることもできる。
【００３１】
そこで、エスカレータ用情報提供装置１は、送受信器１１、制御部１２、装置内行先案内登録器１３、検出部１４、表示部１５、及び表示切替器１６とで構成されている。
【００３２】
送受信器１１はＩＰルータで形成され、インターネット２とは公衆電話回線２ａによりＩＰ（Ｉｎｔｅｒｎｅｔ  Ｐｒｏｔｏｃｏｌ）接続がなされている。
【００３３】
また、送受信器１１、制御部１２、及び装置内行先案内登録器１３はＬＡＮ構成の伝送線路１１ａに共通接続されている。なお、図１では、伝送線路１１ａに、１個の制御部１２が接続されるように示されているが、建物内に設置されたエスカレータの台数に対応した数の制御部１２を並列接続することができる。
【００３４】
装置内行先案内登録器１３は、インターネット２に接続された行先案内登録器３や端末機５と同様に、利用客が所持する情報カード４の識別コードを読み出し登録するとともに、エスカレータ利用客が指定する行先を登録し、登録した識別コードとその識別コードに対応した行先を制御部１２に伝送する機能を備えている。
【００３５】
制御部１２は、伝送線路１１ａを介して、送受信器１１及び装置内行先案内登録器１３に接続されるインターフェース１２１と、このインターフェース１２１とはバス１２１ａを介して並列接続されたＣＰＵ１２２、案内情報記憶器１２３、位置検出器１２４，表示処理器１２５、主記憶器１２６、切替処理器１２７、保守点検／故障修理作業マニュアル記録器１２８、及びエスカレータの故障履歴記録器１２９とで構成されている。
【００３６】
位置検出器１２４には検出部１４が、また制御器１２の表示処理器１２５には表示部１５が、さらに制御部１２の切替処理器１２７にはエスカレータの作業員が操作する表示切替器１６が接続されるとともに、故障履歴記録器１２９にはエスカレータ６の制御盤６ａが接続されている。
【００３７】
制御部１２のＣＰＵ１２２は、装置内行先案内登録器１３や行先案内登録器３並びに端末機５から送信された情報カード４固有の識別コード及びその識別コートに対応して利用客が登録した行先を受信して、その受信した識別コード及び行先をＲＡＭ等からなる主記憶器１２６に一旦記憶させるとともに、主記憶器１２６に記憶した識別コード及び行先を適宜読み出し、後述する利用客に対する行先案内操作を行うように制御する。
【００３８】
案内情報記憶器１２３は、ＲＯＭ等で構成され、当該エスカレータが設置された位置から、多くの利用客によってそれぞれ指定される各行先までの案内経路表示データ、及びエスカレータが故障した際あるいは保守点検等によりエスカレータを運行停止し、利用客に対する迂回経路を案内するための迂回経路（地図）案内表示データ、及び同じく運行を停止して「修理点検中」であることを掲示するための「修理点検中」の文字表示データ、さらには必要に応じて、利用客にＰＲ表示するための文字や絵等を記憶させた広告宣伝表示データが、それらを選択的に読み出し表示するための識別符号データとともに記憶されている。
【００３９】
位置検出器１２４は、検出部１４で捕捉されたエスカレータ上の利用客が所持する情報カード４位置、あるいは後述する作業員がエスカレータ上で所持する情報カード７の位置を検出し、その位置を特定する。
【００４０】
検出部１４は、利用者が所持する情報カード４、及び保守点検や故障修理等を行うエスカレータの作業員が所持する情報カード７を検出する検出手段を構成する。
【００４１】
図２は、検出部１４を設置したエスカレータの正面図で、図３は、図２に示した検出部１４の一部切り欠け要部拡大平面図、図４は図３の拡大断面図である。
【００４２】
図１及び図２に示したように、検出部１４はエスカレータ６の長手方向に配列された複数（ｎ）個の検出器１４ｉ（ｉ＝１，２，３，・・・ｎ）で構成され、各検出器１４ｉは、図３及び図４に拡大して示したようにループ状をなし、エスカレータ６の左右の各手摺ベルト６１と各欄干支持部６２との間で、ローラ６３間に位置するように取り付けられている。
【００４３】
また、表示処理器１２５は表示部１５に接続され、表示部１５は、図１に示したように複数個の表示器１５１ｉ（ｉ＝１，２，３，・・・ｎ）と表示パネル１５２とで構成されている。
【００４４】
複数個の表示器１５１ｉは、図２に示したように、欄干支持部６２の各手摺ベルト６１の外側の段部６２ａに、検出部１４の検出器１４ｉに対応並設されるように、同じくエスカレータ６の長手方向に配列されて取り付け固定されている。
【００４５】
また、表示器１５１ｉとともに表示部１５を構成する表示パネル１５２は、この実施例では、エスカレータ６の乗降口に設置された安全柵８に取り付け係止されている。
【００４６】
エスカレータの利用客や作業員が、図２に示したエスカレータ６の踏段６４上に立って、自己の所持する情報カード４や７を手摺ベルト６１上に差し出したとき、最も間近に位置する検出器１４ｉはこれを検知し、この情報カード４または７に記録された識別コードを読み出し、位置検出器１２４に供給する。
【００４７】
そこで、いずれかの検出器１４ｉがエスカレータの利用客の所持する情報カード４を検知したとき、制御部１２の位置検出器１２４は、エスカレータ上に位置する利用客の所持する情報カード４固有の識別コードを、その位置を検出した検出器１４ｉ位置とともに検出し、利用客の位置情報（すなわち、検出器１４ｉの位置データ）とその利用客の識別コードをＣＰＵ１２２に伝送する。
【００４８】
検出器１４ｉの位置データと、対応する情報カード４の識別コードの供給を受けたＣＰＵ１２２は、識別コードに対応する利用客の行先を予め記憶させた主記憶器１２６から読み出し照合し、その照合して読み出した行先に対応する行先案内経路表示データを案内情報記憶器１２３から読み出し、対応する位置データとともに表示処理器１２５に伝送する。
【００４９】
従って、表示処理器１２５は、欄干支持部６２の段部６２ａ上に長手方向に配列された複数（ｎ）個の表示器１５１ｉから、利用客の現在位置近くに位置する表示器１５１ｉを選択し、その選択した表示器１５１ｉに対し、受信した行先案内経路表示データを供給するので、利用客は間近に位置する表示器１５１ｉ表示された行先までの案内経路を見て、自己の行先経路を確認することができ、安心してエスカレータを利用することができる。
【００５０】
なお、各表示器１５１ｉは、タイマーを有して、一定時間だけ行先案内経路を表示することになるが、利用客は踏段６４の走行移動にともない移動し、位置検出器１２４は、その利用客とともに移動する情報カード４の移動位置に追随して、各検出器１４ｉは情報カード４位置を検出するので、利用客は常に移動する自己の位置近くの表示器１５１ｉにより、行先案内経路の案内を受けることことができる。
【００５１】
なお、上記説明において、図２に示したように、検出部１４及び表示部１５の表示器１５１ｉは、それぞれ左右の欄干支持部６２に対応して設けられているので、エスカレータ６の踏段上で左右に位置する利用客は、それぞれ個別に検出部１４及び表示部１５の表示器１５１ｉを利用した行先案内サービスを受けることができる。
【００５２】
上記説明は、検出器１４ｉがエスカレータ利用客の所持する情報カード４を検知して、利用客に行先案内サービスを提供する旨説明したが、検出器１４ｉがエスカレータの保守点検あるいは故障修理を行う作業員が所持する情報カード７を検知したとき、作業員は、エスカレータの修理作業マニュアル、エスカレータの保守点作業マニュアル、あるいはエスカレータの故障履歴等の表示部１５への表示サービスを受けることができる。
【００５３】
すなわち、図１に示したように、制御部１２のバス１２１ａには保守点検／故障修理作業マニュアル記録器１２８、及び故障履歴記録器１２９が接続されていて、保守点検／故障修理作業マニュアル記録器１２８には、作業員がエスカレータの保守点検並びに故障時の修理作業を行うのに必要なマニュアルが予めデータ化されていて記憶されている。
【００５４】
また、故障履歴記録器１２９は、エスカレータ制御盤６ａに接続されていて、故障履歴記録器１２９には制御盤６ａで収集されたエスカレータの運行操作上の動作データが伝送されて記録されている。
【００５５】
制御部１２には、パソコン機能を搭載し表示切替器１６が接続され、エスカレータの作業員は、自己の所持する情報カード７をセットの上、表示切替器１６を操作することにより、エスカレータ６の保守点検作業あるいは故障修理作業上必要な作業マニュアル、あるいは作業を実施する上で必要な、「点検作業中」の掲示やエスカレータ利用者に対する迂回経路案内データ等の表示サービスを表示部１５上に行うことができる。
【００５６】
すなわち、作業員はＩＣカード等からなる作業員固有の識別コードが付与された情報カード７を所持し、その情報カード７を表示切替器１６にセットするとともに、表示切替器１６を操作し、作業員がこれから実施しようとする作業内容を選択して表示切替器１６に登録設定する。
【００５７】
ここで、作業員に好都合な表示部１５への表示内容を分類すると、作業員自身がエスカレータの保守点検及び故障修理を実行するのに必要とする表示内容と、作業員が作業を行うに際して、エスカレータを利用しようとしていた一般客への表示内容とに大別することができる。
【００５８】
作業員自身への表示部１５における表示には、保守点検／故障修理作業マニュアル記録器１２８に記録されたエスカレータ６の修理作業マニュアルデータ、保守点検作業マニュアルデータ、及び故障履歴記録器１２９に記録されたエスカレータ制御盤６ａからの故障履歴データがある。
【００５９】
そこで、作業員は、情報カード７を図１に示したように表示切替器１６にセットし、保守点検／故障修理作業マニュアル記録器１２８に記録されたエスカレータ６の修理作業マニュアルデータ、保守点検作業マニュアルデータ、及び故障履歴記録器１２９に記録されたエスカレータ制御盤６ａからの故障履歴データのうちのいずれか１のデータを選択し、表示部１５を構成した表示器１５１ｉまたは表示パネル１５２のいずれかに表示させるように操作するので、表示切替器１６は、情報カード７に付された識別コードとともに、選択信号を表示処理器１２５及び切替処理器１２７に送信する。
【００６０】
表示部１５には、エスカレータの欄干支持部６２に沿って配列固定された表示器１５１ｉと、安全柵８に掲示された表示パネル１５２とがある。
【００６１】
作業員がエスカレータ６の踏段６４上で作業を行うときには、作業員は携行した情報カード７を、検出部１４の検出器１４ｉに接近させることによって、作業員自身が選択した１の表示データ（たとえば、保守点検作業マニュアル情報）を作業員が位置する近傍の表示器１５１ｉに呼び出し表示することができる。
【００６２】
作業員は保守点検作業マニュアル等を、表示器１５１ｉに表示させたときには、長手方向に多数配列された表示器１５１ｉのうちのいずれか１の表示器１５１ｉに表示させることができることから、踏段６４に乗って、距離の長いエスカレータ６を保守点検するのに好都合である。
【００６３】
また、作業員がエスカレータの乗降口付近で保守点検あるいは故障修理を行う場合には、表示切替器１６を操作し、表示パネル１５２を、エスカレータの乗降口に設置した安全柵８に掲示することができる。
【００６４】
このように、作業員はエスカレータ６が設置された現場において、エスカレータの保守点検及び故障修理作業を行うのに必要な保守点検作業マニュアル、修理作業マニュアル、あるいは故障履歴記録器１２９に記録されたエスカレータの故障情報の少なくともいずれか１の情報を読み出し、表示部１５に表示させることができるので、作業員は、保守点検作業マニュアルや修理作業マニュアルを携行することなく、表示部１５に表示された内容を見て保守点検作業あるいは修理作業を効率的に行うことができる。
【００６５】
なお、上記説明において、表示部１５に表示される保守点検作業マニュアルや修理作業マニュアルには、保守点検や故障修理に際して必要とされる調整量を作業項目に併記するように記録させておき、作業項目と併せて表示部１５に読み出し表示することができる。
【００６６】
次ぎに、作業員がエスカレータを停止させた際、一般客向けに表示させる内容には、迂回経路案内情報や「点検修理中」の注意文字情報、あるいはこれらの情報とともに表示可能な広告宣伝（ＣＭ）情報がある。
【００６７】
これらの情報も、予め案内情報記憶器１２３にデータ化して記憶させておき、作業員による表示切替器１６操作により、表示部１５に選択表示するように構成される。
【００６８】
表示部１５は、上記のように、表示器１５１ｉと表示パネル１５２とで構成されるが、停止したエスカレータにおいて、一般客向けての表示は表示パネル１５２に限られる。
【００６９】
表示パネル１５２は、液晶ディスプレイやプラズマディスプレイのように、いわゆる平板ディスプレイパネルや有機ＥＬディスプレイを採用することができる。
【００７０】
有機ＥＬディスプレイは、図５に示したように、ＥＬ（エレクトロ・ルミネッセンス）素子をマトリクス状に配置したＥＬ発光部１５２ａを備え、これを駆動するデータ電極１５２ｂ及び走査電極１５２ｃを有して、薄型軽量で形状自由度が高いので、図２に示したように、エスカレータの乗降口に設置された安全柵８に掲示するのに好都合である。
【００７１】
もっとも、有機ＥＬディスプレイは、薄型軽量で形状の自由度が高く、また表示速度も速いので、表示部１５の表示器１５１ｉにも採用することもでき、また建物の側壁への貼付や天井壁からの吊り下げ表示も可能である。
【００７２】
従って、上記説明の表示パネル１５２は、エスカレータの利用者や作業員向けの表示を行うものである旨説明したが、表示パネル１５２を、単にエスカレータの利用者や作業員向けに限らず、たとえば従来の行先案内装置における受信装置の表示部として使用して、一般客が所持する発振装置からの行先信号に即した目的地までの案内表示を行うようにすることもできる。
【００７３】
また、その際、案内表示等が行われていないときには、自動的に宣伝広告情報に切換え表示されるように構成することができる。
【００７４】
また、上記実施例の説明において、エスカレータの利用客及び作業員は、それぞれ情報カード４，７を所持して、それらの情報カード４，７を行先案内登録器３や表示切替器１６等にセットしたり検知させることで、それぞれ行先案内情報の提供表示あるいは作業マニュアル情報の提供表示を受ける旨説明したが、情報カード４，７自体に送信側の無線端末機能を搭載させ、行先案内登録器３や表示切替器１６側には受信側の無線端末機能を搭載させることで、無線通信による遠隔操作でエスカレータ案内情報等の提供を受けるように構成しても良い。
【００７５】
以上説明のように、この実施例のエスカレータ用情報提供装置は、エスカレータ利用中の乗客に行先案内情報を提供したり、作業員が必要とする作業マニュアルを表示したり、あるいは利用客に迂回経路の案内表示等を行うことができるので、利用客が安心してエスカレータを利用できるとともに、作業員は作業マニュアルを逐一携行する必要がなく、効率良く保守点検や故障修理を行うことができ、また迂回経路を逐一掲示板等に手書きする手間を省くことができる。
【図面の簡単な説明】
【００７６】
【図１】本発明によるエスカレータ用情報提供装置の一実施例がインターネットに接続された状態を示す系統図である。
【図２】図１に示したエスカレータ用情報提供装置を組み込んだエスカレータの正面図である。
【図３】図１に示した装置の検出部の一部切り欠け要部拡大平面図である。
【図４】図３に示した検出部の縦拡大断面図である。
【図５】図２に示した表示パネルの拡大正面図である。
【符号の説明】
【００７７】
１  エスカレータ用情報提供装置
１１  送受信器
１２  制御部（制御手段）
１２１  インターフェース
１２２  ＣＰＵ
１２３  案内情報記憶器（記憶手段）
１２４  位置検出器（検出手段）
１２５  表示処理器（表示手段）
１２６  主記憶器
１２７  切替処理器
１２８  保守点検／故障修理作業マニュアル記憶器（記憶手段）
１２９  故障履歴記録器（記憶手段）
１３  装置内行先案内登録器  
１４  検出部（検出手段）
１４ｉ（ｉ＝１，２，３，・・・ｎ）  検出器
１５  表示部（表示手段）
１５１ｉ（ｉ＝１，２，３，・・・ｎ）  表示器
１５２  表示パネル
１６  表示切替器
２  インターネット
３  行先案内登録器
４，７  情報カード
５  端末機
６  エスカレータ
６１  手摺ベルト
６２  欄干支持部（欄干）
６３  ローラ
６ａ  制御盤
８  安全柵
【図１】
2006160382.tif 000003
【図２】
2006160382.tif 000004
【図３】
2006160382.tif 000005
【図４】
2006160382.tif 000006
【図５】
2006160382.tif 000007